(57)【要約】【課題】  オートストア処理完了までの時間を延長することなく、同一プログラム識別ＩＤの放送局を削除しても、公称最大オートストア局数を迅速且つ確実に蓄えることができる利便性の優れた受信装置を得る。【解決手段】  音声放送の副搬送波内の多重データを復調する多重データ復調部３と、設定される放送局周波数の電界強度情報を取得すると共に、多重データ復調出力から音声放送に副搬送波として含まれるプログラム識別ＩＤを検出する制御部２と、取得される電界強度情報とその放送局周波数を公称最大オートストア局数より余分に暫定的に格納する暫定メモリ４と、暫定的に格納された電界強度情報の放送局周波数と対応するプログラム識別ＩＤの放送局周波数を、最終的に公称最大オートストア局数電界強度順に格納する最終メモリ５とを備えたものである。【選択図】        図１
2006025134.tif 000002
【特許請求の範囲】
【請求項１】
音声放送の副搬送波内の多重データを復調する多重データ復調部と、
受信時に設定される放送局周波数の電界強度情報を取得すると共に、上記多重データ復調部の出力から音声放送に副搬送波として含まれるプログラム識別ＩＤを検出する制御部と、
上記制御部で取得される電界強度情報とその放送局周波数を、上記制御部の制御に基づき公称最大オートストア局数より余分に暫定的に格納する第１の記憶手段と、
上記第１の記憶手段に暫定的に格納された電界強度情報の放送局周波数と対応するプログラム識別ＩＤの放送局周波数を、上記制御部の制御に基づき最終的に公称最大オートストア局数電界強度順に格納する第２の記憶手段と
を備えた受信装置。
【請求項２】
制御部は、設定される放送局の周波数の電界強度を受信出力から検出する電界強度検出手段と、多重データ復調部の出力から第１の記憶手段に暫定的に格納されている放送局周波数のみ、その対応するプログラム識別ＩＤを検出するプログラム識別ＩＤ検出手段と、上記プログラム識別ＩＤ検出手段で検出されたプログラム識別ＩＤと同一のプログラム識別ＩＤの放送局周波数が第２の記憶手段にあるか否かを判別する放送局周波数判別手段と、上記放送局周波数判別手段の判別結果に基づいて上記プログラム識別ＩＤ検出手段で検出されたプログラム識別ＩＤと同一のプログラム識別ＩＤの放送局周波数が上記第２の記憶手段になければ、その検出したプログラム識別ＩＤと放送局周波数を上記第２の記憶手段に格納させ、上記第２の記憶手段に同一のプログラム識別ＩＤの放送局周波数があれば、その２つの放送局周波数の内電界強度の小さい放送局周波数の情報を削除し、電界強度の大きい放送局周波数の情報を上記第２の記憶手段に格納させるメモリ制御手段とを備えたことを特徴とする請求項１記載の受信装置。
【請求項３】
第１の記憶手段に暫定的に格納される電界強度情報の放送局周波数は、オ−トストア機能の実行毎にフィールドの条件に応じて動的に変化させることができることを特徴とする請求項１または請求項２記載の受信装置。
【発明の詳細な説明】
【技術分野】
【０００１】
この発明は、音声放送に副搬送波としてプログラム識別ＩＤを含む放送を受信する受信装置に関するものである。
【背景技術】
【０００２】
従来、音声放送を行う際に、その放送する電波の副搬送波にプログラム識別ＩＤを持つ放送の例としては、例えば、欧州で広く普及しているＦＭ多重放送であるラジオデータシステム（ＲＤＳ）や米国におけるラジオブロードキャストデータシステム（ＲＢＤＳ）などが挙げられる。
このような放送を受信するために用いられる一般的な受信器の機能の一つとして、対象バンドの中から受信状態の良い放送局を一定数自動的に選局する機能（以下、これをオートストアという）がある。
【０００３】
この場合には、受信レベルが所定値以上と判定された周波数すべてにおいて、プログラム識別ＩＤを取得しているが、オートストア処理完了までに時間がかかるという問題があり、そこで、電界強度の高い周波数を機器の想定する局数として蓄え、最終オートストアとしてユーザに提供する方法や、電界強度の高い周波数を機器の想定する局数を蓄えた後、副搬送波内のプログラム識別ＩＤを取得し、もしプログラム識別ＩＤが同一であれば電界強度の小さい方を削除する方法等が提案されている（例えば、特許文献１参照）。
【０００４】
【特許文献１】特開平５−２７５９８０号公報
【発明の開示】
【発明が解決しようとする課題】
【０００５】
しかしながら、上述した従来の電界強度の高い周波数を機器の想定する局数を蓄え、最終オートストアとしてユーザに提供する方法の場合には、搬送周波数は異なるものの、同一プログラムである放送を複数蓄えてしまう問題点があった。
また、電界強度の高い周波数を機器の想定する局数を蓄えた後、副搬送波内のプログラム識別ＩＤを取得し、もしプログラム識別ＩＤが同一であれば電界強度の小さい方を削除する方法の場合には、同一プログラムである放送を複数蓄える問題は解決されるが、最終オートストア局数が公称最大オートストア局数よりも少なくなるという問題点があった。
【０００６】
この発明は、前記のような課題を解決するためになされたもので、オートストア処理完了までの時間を延長することなく、同一プログラム識別ＩＤの放送局を削除しても、公称最大オートストア局数を迅速且つ確実に蓄えることができる利便性の優れた受信装置を得ることを目的とする。
【課題を解決するための手段】
【０００７】
この発明に係る受信装置は、音声放送の副搬送波内の多重データを復調する多重データ復調部と、設定される放送局周波数の電界強度情報を取得すると共に、多重データ復調出力から音声放送に副搬送波として含まれるプログラム識別ＩＤを検出する制御部と、この制御部で取得される電界強度情報とその放送局周波数を暫定的に格納する第１の記憶手段と、この暫定的に格納された電界強度情報の放送局周波数と対応するプログラム識別ＩＤの放送局周波数を、最終的に公称最大オートストア局数電界強度順に格納する第２の記憶手段とを備えたものである。
【発明の効果】
【０００８】
この発明によれば、対象バンド内で電界強度の大きい放送局周波数を選択する際に、同一プログラム識別ＩＤの放送局を削除しても、公称最大オートストア局数を迅速且つ確実に蓄えることが可能で、その利便性を向上できるという効果がある。
【発明を実施するための最良の形態】
【０００９】
以下、この発明の実施の一形態を説明する。
実施の形態１．
図１は、この発明の実施の形態１による受信装置の構成を示すブロック図である。
図１において、受信装置は、音声放送を受信する受信機１と、この受信機１に受信したい放送局の周波数を設定し、その設定された放送局周波数の電界強度情報を取得すると共に音声放送に副搬送波として含まれるプログラム識別ＩＤを検出する例えばマイクロコンピュータを用いた制御部２と、受信機１からの副搬送波内の多重データを復調してプログラム識別ＩＤを出力する多重データ復調部３と、制御部２で取得される電界強度情報とその放送局周波数を公称最大オートストア局数より余分に暫定的に格納する第１の記憶手段としての暫定メモリ４と、制御部２で取得される電界強度情報の放送局周波数と対応するプログラム識別ＩＤを最終的に公称最大オートストア局数格納する第２の記憶手段としての最終メモリ５とを備える。
【００１０】
また、制御部２は、受信機１に向かって受信したい放送局の周波数を設定する受信周波数設定手段２１と、この受信周波数設定手段２１で設定された放送局の周波数の電界強度を受信機１の出力から検出する電界強度検出手段２２と、多重データ復調部３の出力から暫定メモリ４に格納されている放送局周波数のみ、その対応するプログラム識別ＩＤを検出するプログラム識別ＩＤ検出手段２３と、このプログラム識別ＩＤ検出手段２３で検出されたプログラム識別ＩＤと同一のプログラム識別ＩＤの放送局周波数が最終メモリ５にあるか否かを判別する放送局周波数判別手段２４と、この放送局周波数判別手段２４の判別結果に基づいてプログラム識別ＩＤ検出手段２３で検出されたプログラム識別ＩＤと同一のプログラム識別ＩＤの放送局周波数が最終メモリ５になければ、その検出したプログラム識別ＩＤと放送局周波数を最終メモリ５に格納させ、最終メモリ５に同一のプログラム識別ＩＤの放送局周波数があれば、その２つの放送局周波数の電界強度を比較し、電界強度の小さい放送局周波数の情報を削除し、電界強度の大きい放送局周波数の情報を最終メモリ５に格納させるメモリ制御手段２５とを備える。メモリ制御手段２５は、所定の公称最大オートストア局数が最終メモリ５に格納された段階で、必要に応じてその格納された内容を確認し、最終オートストア局情報として外部に出力する。
【００１１】
次に、動作について、図２のフローチャートを参照して説明する。
まず、受信周波数設定手段２１で設定された放送局周波数の電界強度を受信機１の出力から電界強度検出手段２２で検出し、オートストア対象バンド内で電界強度の大きい放送局周波数を、公称最大オートストア局数(ここでは、Ｎと定義する)＋余分に格納する放送局周波数の数(ここでは、αと定義する)だけ選択し、暫定オートストア情報として、メモリ制御手段２５の制御に基づき、暫定メモリ４に電界強度順に蓄える（ステップＳＴ１）。このとき、同時にプログラム識別ＩＤを取得しないのは、上述したようにバンド内全放送局周波数のプログラム識別ＩＤを取得するための処理に多大な時間を要するためである。
【００１２】
次に、ステップＳＴ１で選択された各周波数の放送局が持つプログラム識別ＩＤをプログラム識別ＩＤ検出手段２３により検出し（ステップＳＴ２）、最終メモリ５内にプログラム識別ＩＤが同一である放送局周波数が存在するかどうかを放送局周波数判定手段２４で判定する（ステップＳＴ３)。もし、ステップＳＴ３でプログラム識別ＩＤが同一である放送局周波数、すなわち同一放送内容の放送局がなければ、メモリ制御手段２５の制御に基づき、最終メモリ５に格納し（ステップＳＴ４）、ステップＳＴ３で同一プログラム識別ＩＤの放送局周波数があれば、その２つの放送局周波数の電界強度を比較し（ステップＳＴ５）、電界強度の小さい放送局周波数の情報を削除し、電界強度の大きい放送局周波数の情報を最終メモリ５に格納する（ステップＳＴ６）。次に、メモリ制御手段２５では、公称最大オートストア局数であるＮ個が最終メモリ５に格納されているか、つまりＮ個格納済みか否かを判別し（ステップＳＴ７）、Ｎ個格納済みでなければ、ステップＳＴ２に戻って、上述の動作を最大Ｎ＋α回繰り返し、Ｎ個格納済みであればオートストア処理を完了し、最終オートストア局情報としてユーザに提供する（ステップＳＴ８）。
【００１３】
図３は、上述した図２のオートストア処理動作時における各メモリ内データの様子の一例を示している。
因みに、図３では、公称最大オートストア局数Ｎ＝１０、余分に格納する放送局周波数の数α＝５で１５回のループ処理が行われ、暫定メモリ４における１回目、５回目および１１回目と、２回目、６回目および１２回目の情報は、それぞれプログラム識別ＩＤが同一の放送局周波数、すなわち同一放送内容の放送局であるので、電界強度の小さい放送局周波数の情報が削除され、つまり、５回目および１１回目、６回目および１２回目の放送局周波数の情報は電界強度の小さいとして削除され、結局暫定メモリ４の１４回目までの情報で最終メモリ５に格納される電界強度の大きい公称最大オートストア局数であるＮ個の放送局周波数の情報が得られたので、暫定メモリ４に格納すべき１５回目のプログラム識別ＩＤの取得は不要となることを表している。
【００１４】
以上のように、実施の形態１によれば、オートストア機能を動作させたとき、対象バンド内で電界強度の大きい放送局周波数を選択する際に、機器が設定している公称最大オートストア局数より余分に放送局周波数をメモリに蓄えることで、後処理である排他的プログラム選択動作つまり、同一プログラム識別ＩＤの放送局を削除しても、公称最大オートストア局数を迅速且つ確実に蓄えることが可能となり、その利便性を向上できる。
【００１５】
実施の形態２．
なお、上記実施の形態１では、公称最大オートストア局数Ｎと余分に格納する放送局周波数の数αが、それぞれ固定値の場合について説明したが、これに限定されることなく、特に、αで定義した余分に格納する放送局周波数の数は、上記実施の形態１の如く固定値を設定してもよいが、オ−トストア機能実行毎にフィールドの条件に応じて動的に変化させてもよい。つまり、オ−トストア処理完了までに実行したループ処理がＮ＋α回未満であればαを減少させ、Ｎ＋α回で公称最大オートストア局数Ｎの放送局周波数を格納できなかった場合は、余分に格納する放送局周波数の数αを増加させることにより、次回オートストア機能実施時に、より最適なαの値を設定することが可能となる。
【図面の簡単な説明】
【００１６】
【図１】この発明の実施の形態１による受信装置の構成を示すブロック図である。
【図２】この発明の実施の形態１による受信装置の動作を説明するためのフローチャートである。
【図３】この発明の実施の形態１による受信装置のオートストア処理動作時における各メモリ内データの様子の一例を示す図である。
【符号の説明】
【００１７】
１  受信機、２  制御部、３  多重データ復調部、４  暫定メモリ、５  最終メモリ、２１  受信周波数設定手段、２２  電界強度検出手段、２３  プログラム識別ＩＤ検出手段、２４  放送局周波数判別手段、２５  メモリ制御手段。
【図１】
2006025134.tif 000003
【図２】
2006025134.tif 000004
【図３】
2006025134.tif 000005